(57)【特許請求の範囲】
【請求項１】
複数の図柄列を構成する図柄を各列に沿って変動表示する図柄変動表示手段と、
前記図柄変動表示手段の図柄変動による遊技を開始させる始動手段と、
前記始動手段の作動に応じて、前記図柄の組合せによる当選役を決定するために予め定めた役抽選テーブルを用いて前記当選役の抽選を行う役抽選手段と、
前記役抽選手段の抽選結果に対応して、前記当選役の種類毎に各ビットが割り当てられた複数ビットのデータからなる当選役データと、該当選役データよりデータ容量が小さい番号データからなる前記図柄変動を停止制御するための停止制御用データとを設定する抽選結果データ設定手段と、
前記抽選結果データ設定手段により設定された停止制御用データに基づいて複数種類の停止制御テーブルのうちからいずれかを選択し、前記図柄変動を停止させる停止制御手段とを備え、
前記図柄変動表示手段の図柄変動停止時の図柄組合せが、前記役抽選手段により抽選された当選役となった場合に、当該当選役に対応した価値を遊技者に付与する回胴式遊技機において、
前記図柄変動表示手段を通常の変動表示と異なる態様で作動させる演出動作を実行する演出動作実行手段と、
前記演出動作実行手段が実行する演出動作を決定するために予め定めた演出動作抽選テーブルを用いて前記演出動作の抽選を行う演出動作抽選手段とを備え、
前記停止制御用データは前記当選役と対応付けられ、同一種類の当選役であっても、遊技状態により異なる番号データが割り当てられ、
前記演出動作抽選手段は、前記停止制御用データに基づいて前記演出動作の抽選を行い、前記演出動作実行手段は、当選した演出動作を実行することを特徴とする回胴式遊技機。
【請求項２】
請求項１に記載の回胴式遊技機において、
前記当選役が通常の役よりも利益の大きい特定役であった場合に、当該特定役が入賞するまでフラグを保持する特定役フラグ保持手段を備え、
前記演出動作抽選手段は前記特定役フラグ保持手段により前記特定役のフラグが保持されているときは前記演出動作の抽選を行わないことを特徴とする回胴式遊技機。
【請求項３】
請求項１又は２に記載の回胴式遊技機において、
前記演出動作は遊技者が前記始動手段を操作したときに該操作を無効とし、所定時間は前記図柄変動表示手段が図柄変動を開始しないフリーズ演出であることを特徴とする回胴式遊技機。
【請求項４】
請求項１又は２に記載の回胴式遊技機において、
前記演出動作は前記図柄変動表示手段同士の変動開始タイミングにずれが生じる遅れ変動演出又は前記図柄変動表示手段が通常の変動方向とは逆方向に変動する逆回転演出であることを特徴とする回胴式遊技機。
【発明の詳細な説明】
【技術分野】
【０００１】
本発明は、遊技開始を契機として役に関する抽選を行い、当選した場合にはその当選役と、図柄を変動表示する回胴が停止したときの図柄組合せとに基づいて入賞判定を行う回胴式遊技機に関する。
【背景技術】
【０００２】
一般に回胴式遊技機では、遊技者がメダルを投入し、スタートレバーを操作することで遊技が開始し、それを契機として役の抽選（内部抽選）が行われる。この内部抽選では、得られた乱数値を役（ボーナス、小役等）に関する抽選テーブルと照合し、値が合致した役が当選役となる。遊技開始後、遊技者は、図柄を変動表示する回胴（以下、リールともいう。）の回転をストップボタンの操作で停止させる。そして、リールが停止したときに有効入賞ライン上に並ぶ図柄の組合せが当選役と一致すれば入賞となり、当選役に応じた遊技価値として所定数のメダルやコインが遊技者に付与される。
【０００３】
このような回胴式遊技機は、リールを一定方向に一定速度で回転することで図柄を変動表示させるが、近年、リールによってフリーズ、遅れ回転、逆回転等の演出動作を行うものが知られている。例えば、特許文献１に開示された回胴式遊技機では、内部抽選処理の他にフリーズ抽選が行われ（図１６）、これら両方の抽選で当選した場合にフリーズ演出を実行する。その際、遊技者のストップボタン操作のタイミングが早いためにステップアップ演出が途中でキャンセルされることがあるが、これを防止するため、フリーズ演出を遊技者がストップボタンを操作する度に発展するステップアップ演出の中で発生させるようにしている。
【先行技術文献】
【特許文献】
【０００４】
【特許文献１】特開２０１０−２４０１６０号公報
【発明の概要】
【発明が解決しようとする課題】
【０００５】
上記のような回胴式遊技機において、内部当選（当選役）データはデータ量が大きいため、上記のデータを用いて異常入賞判定を毎回のゲームで行うことは遊技機の動作制御にとって大きな負荷となっている。また、内部抽選による当選役に応じてゲーム毎に上記のフリーズ演出等の演出抽選処理を行う場合は、さらに制御負荷が大きくなるという問題があった。
【０００６】
本発明は、上記のようなリールによる演出動作を行う際、制御負荷を軽減し得る回胴式遊技機を提供することを目的とする。
【課題を解決するための手段】
【０００７】
第１発明は、複数の図柄列を構成する図柄を各列に沿って変動表示する図柄変動表示手段と、前記図柄変動表示手段の図柄変動による遊技を開始させる始動手段と、前記始動手段の作動に応じて、前記図柄の組合せによる当選役を決定するために予め定めた役抽選テーブルを用いて前記当選役の抽選を行う役抽選手段と、前記役抽選手段の抽選結果に対応して、前記当選役の種類毎に各ビットが割り当てられた複数ビットのデータからなる当選役データと、該当選役データよりデータ容量が小さい番号データからなる前記図柄変動を停止制御するための停止制御用データとを設定する抽選結果データ設定手段と、前記抽選結果データ設定手段により設定された停止制御用データに基づいて複数種類の停止制御テーブルのうちからいずれかを選択し、前記図柄変動を停止させる停止制御手段とを備え、前記図柄変動表示手段の図柄変動停止時の図柄組合せが、前記役抽選手段により抽選された当選役となった場合に、当該当選役に対応した価値を遊技者に付与する回胴式遊技機において、前記図柄変動表示手段を通常の変動表示と異なる態様で作動させる演出動作を実行する演出動作実行手段と、前記演出動作実行手段が実行する演出動作を決定するために予め定めた演出動作抽選テーブルを用いて前記演出動作の抽選を行う演出動作抽選手段とを備え、前記停止制御用データは前記当選役と対応付けられ、同一種類の当選役であっても、遊技状態により異なる番号データが割り当てられ、前記演出動作抽選手段は、前記停止制御用データに基づいて前記演出動作の抽選を行い、前記演出動作実行手段は、当選した演出動作を実行することを特徴とする。
【０００８】
第２発明は、第１発明の回胴式遊技機において、前記当選役が通常の役よりも利益の大きい特定役であった場合に、当該特定役が入賞するまでフラグを保持する特定役フラグ保持手段を備え、
前記演出動作抽選手段は前記特定役フラグ保持手段により前記特定役のフラグが保持されているときは前記演出動作の抽選を行わないことを特徴とする。
【０００９】
第３発明は、第１発明又は第２発明の回胴式遊技機において、前記演出動作は遊技者が前記始動手段を操作したときに該操作を無効とし、所定時間は前記図柄変動表示手段が図柄変動を開始しないフリーズ演出であることを特徴とする。
【００１０】
第４発明は、第１発明又は第２発明の回胴式遊技機において、回胴式遊技機は、前記演出動作は前記図柄変動表示手段同士の変動開始タイミングにずれが生じる遅れ変動演出又は前記図柄変動表示手段が通常の変動方向とは逆方向に変動する逆回転演出であることを特徴とする。
【発明の効果】
【００１１】
本発明の回胴式遊技機によれば、リールによる演出動作を行う際、動作制御の負担を軽減することができる。
【図面の簡単な説明】
【００１２】
【図１】本実施形態の回胴式遊技機の外観を示す正面側の斜視図。
【図２】各リールの図柄配列を示す説明図。
【図３】有効入賞ラインを示す説明図。
【図４】本実施形態の回胴式遊技機の制御装置を示すブロック図。
【図５】図４に示す制御装置の主制御基板および演出制御基板の回路構成を示すブロック図。
【図６】入賞払出判定テーブルの説明図。
【図７Ａ】役抽選テーブルを示す説明図。
【図７Ｂ】役抽選テーブルの当選役の内容を示す説明図。
【図８】当選役データを示す説明図。
【図９Ａ】停止制御用データ設定テーブル（Ａ）を示す説明図。
【図９Ｂ】停止制御用データ設定テーブル（Ｂ）を示す説明図。
【図１０】停止役データを示す説明図。
【図１１】リール演出抽選テーブルを示す説明図。
【図１２】主制御基板でのメイン処理を示すフローチャート。
【図１３】図１２中の内部抽選処理を示すフローチャート。
【図１４】図１２中のリール演出抽選処理を示すフローチャート。
【図１５】図１２中の回胴回転開始設定処理を示すフローチャート。
【図１６】図１２中の回胴停止処理を示すフローチャート。
【図１７】図１２中の入賞判定処理を示すフローチャート。
【図１８】図１７中の誤入賞判定を示すフローチャート。
【図１９】主制御基板でのタイマ割込処理を示すフローチャート。
【発明を実施するための形態】
【００１３】
まず、本実施形態の回胴式遊技機の概要について説明する。
【００１４】
本実施形態の回胴式遊技機は、
複数の図柄列を構成する図柄を各列に沿って変動表示する図柄変動表示手段と、
前記図柄変動表示手段の図柄変動による遊技を開始させる始動手段と、
前記始動手段の作動に応じて、前記図柄の組合せによる当選役を決定するために予め定めた役抽選テーブルを用いて前記当選役の抽選を行う役抽選手段と、
前記役抽選手段の抽選結果に対応して、前記当選役の種類毎に各ビットが割り当てられた複数ビットのデータからなる当選役データと、該当選役データよりデータ容量が小さい番号データからなる前記図柄変動を停止制御するための停止制御用データとを設定する抽選結果データ設定手段と、
前記抽選結果データ設定手段により設定された停止制御用データに基づいて複数種類の停止制御テーブルのうちからいずれかを選択し、前記図柄変動を停止させる停止制御手段とを備え、
前記図柄変動表示手段の図柄変動停止時の図柄組合せが、前記役抽選手段により抽選された当選役となった場合に、当該当選役に対応した価値を遊技者に付与する回胴式遊技機において、
前記図柄変動表示手段を通常の変動表示と異なる態様で作動させる演出動作を実行する演出動作実行手段と、
前記演出動作実行手段が実行する演出動作を決定するために予め定めた演出動作抽選テーブルを用いて前記演出動作の抽選を行う演出動作抽選手段とを備え、
前記停止制御用データは前記当選役と対応付けられ、同一種類の当選役であっても、遊技状態により異なる番号データが割り当てられ、
前記演出動作抽選手段は、前記停止制御用データに基づいて前記演出動作の抽選を行い、前記演出動作実行手段は、当選した演出動作を実行することを特徴とする。
【００１５】
かかる回胴式遊技機によれば、始動手段の作動により図柄変動表示手段が図柄変動を開始すると共に、役抽選手段が今回の遊技の当選役を抽選する。そして、抽選結果データ設定手段は、役抽選手段の抽選結果に対応した当選役データおよび停止制御用データを設定する。図柄の変動中に遊技者が停止操作をすると、停止制御手段は停止制御用データに基づいて複数種類の停止制御テーブルのうちから何れかを選択して、図柄変動を停止させる。回胴式遊技機は、停止図柄の組合せが表示され、これが当選役に一致すると判定した場合、それに応じた遊技価値を遊技者に付与する。
【００１６】
この回胴式遊技機では停止制御用データが設定されると、これに基づいて停止制御テーブルが選択され、変動停止制御が行われる。その一方で、停止制御用データに基づいて前記演出動作抽選テーブルを参照して演出動作抽選が行われる。ここで、停止制御用データは、当選役データ（複数ビットのデータ）と比較して、データ容量がかなり小さくなっている（例えば、当選役データが全体で約４バイトの容量があるのに対し、停止制御用データは全体で約１バイトである）。停止制御用データは各当選役と対応付けられ、同一種類の当選役（例えば、チェリー役）であっても、遊技状態により異なる番号データが割り当てられている。したがって、演出動作抽選テーブルを遊技状態に応じて切替える必要がない。すなわち、停止制御用データを利用することにより、演出動作を行う際の抽選処理とその抽選結果に応じた演出動作の制御にかかる負荷を軽減することができる。
【００１７】
本実施形態の回胴式遊技機においては、前記当選役が通常の役よりも利益の大きい特定役であった場合に、当該特定役が入賞するまでフラグを保持する特定役フラグ保持手段を備え、
前記演出動作抽選手段は前記特定役フラグ保持手段により前記特定役のフラグが保持されているときは前記演出動作の抽選を行わない。
【００１８】
この構成によれば、当選役が特定役（いわゆるボーナス役）であった場合、特定役のフラグをその入賞まで保持し、消滅させないようにしている。特定役のフラグが保持されているときは、演出動作抽選手段による演出動作の抽選を行わないこととすることで、演出動作は実行中ゲームの当選役と矛盾することなく発生する。また、演出動作は連続して発生することが殆どないので、出現率の低い演出、すなわち期待度の高い演出として用いることができる。
【００１９】
本実施形態の回胴式遊技機では、前記演出動作は遊技者が前記始動手段を操作したときにその操作を無効とし、所定時間は前記図柄変動表示手段が図柄変動を開始しないフリーズ演出である。
【００２０】
ここで、フリーズ演出とは、遊技者が始動手段を操作してもその操作を無効とし、所定時間は図柄変動手段が変動を開始せず、遊技が固まった状態となる演出をいう。遊技者はフリーズ演出が発生すると、図柄変動表示手段の変動態様に大きな違和感を覚え、ボーナス役に当選したのではないかという期待感を抱くことにもなる。
【００２１】
本実施形態の回胴式遊技機では、前記演出動作は前記図柄変動表示手段同士の変動開始タイミングにずれが生じる遅れ変動演出又は前記図柄変動表示手段が通常の変動方向とは逆方向に変動する逆回転演出である。
【００２２】
この構成によれば、図柄変動表示手段が通常の変動表示と異なる態様で動作する演出動作として、第１に遅れ変動演出がある。通常、遊技者が操作手段を操作したとき、複数の図柄変動表示手段が同時に変動を開始する。一方、遅れ変動演出では、複数の図柄変動表示手段の変動開始のタイミングにずれが生じる。例えば、わずかな時間差をもって所定の順番で図柄変動表示手段が変動を開始する。
【００２３】
また、図柄変動表示手段が通常の変動表示と異なる態様で動作する演出動作として、第２に逆回転演出がある。逆回転演出とは、図柄変動表示手段を通常の変動方向とは逆方向に変動させる演出をいう。遅れ変動演出又は逆回転演出が発生した場合、遊技者は図柄変動表示手段の変動態様に違和感を覚え、ボーナス役に当選したのではないかという期待感を抱くことになる。
【００２４】
次に、図面を参照して、本実施形態の回胴式遊技機について詳細に説明する。
【００２５】
＜１．機械的構成＞
図１は、本発明の一実施形態に係る回胴式遊技機の外観を示す斜視図である。本実施形態に係る回胴式遊技機は、遊技機本体として、図１に示すように、遊技に供する各種遊技部品を収納するための遊技機筐体１と、遊技機筐体１の前面側に開閉自在に取り付けられた前扉２とを備えている。
【００２６】
図１に示すように、前扉２には、そのほぼ中央に第１の表示窓（回胴視認部）３を、またその上側に第２の表示窓（液晶画面視認部）４を設けてある。
【００２７】
下側の第１の表示窓３は回胴視認部であり、回胴装置２１０の横並びに３個配設された回胴（リール）５ａ、５ｂ、５ｃ（以下、必要に応じて回胴５ａを「左回胴５ａ」、回胴５ｂを「中回胴５ｂ」、回胴５ｃを「右回胴５ｃ」と称する）が、この回胴視認部３に臨ませて、遊技者側から視認し得るように設けられている。
【００２８】
この回胴５ａ、５ｂ、５ｃは、その外周に複数種類の図柄が施された図柄配列帯（ここでは図示せず）を有しており、各回胴５ａ、５ｂ、５ｃの停止時の上記図柄の組み合せによって遊技結果を表示する回胴装置２１０を構成している。図柄配列帯については、既に種々の図柄配列帯が公知であるのでその詳細な説明は省略するが、図柄配列帯には、各入賞役を構成するための図柄が表示されており、本実施形態では回転方向に２１コマの図柄が配置されている。図柄には、たとえば「７」、「ベル」、「オレンジ」、「チェリー」、「ＪＡＣ」、「ＢＡＲ」、「人物」、「動物」、「魚」、「乗り物」等、特に制限はなく、種々の図柄を採用することができる。この回胴５ａ、５ｂ、５ｃは、それぞれパルスモータからなる回胴駆動モータ２１１ａ、２１１ｂ、２１１ｃ（図４参照）により回転駆動されるように構成され、各回胴５ａ、５ｂ、５ｃが回転することにより、上記図柄が変動表示可能となっている。なお、回胴５ａ、５ｂ、５ｃは、本実施形態のように、回胴駆動モータ２１１ａ、２１１ｂ、２１１ｃのような電気的駆動源を用いて物理的に回転または停止が行われる機械式の回胴に限定されず、後述する液晶表示装置６のような画像表示装置に表示され、画像上で回転または停止が行われる演出的な回胴であってもよい。また、回胴の数は３個に限定されるものではなく、２個、４個等、何個配設されていてもよい。
【００２９】
回胴視認部３には、ここを横および斜めに横断する形で、計５本の入賞ライン３ａが施されている。これらの入賞ライン３ａは、単位遊技（１ゲーム）に対する遊技メダルの投入枚数に応じて有効となる入賞ライン数が変化する。この有効となった入賞ライン（以下、「有効入賞ライン」と称する）３ａ上で、各回胴５ａ、５ｂ、５ｃが停止した際の停止図柄の組み合わせの表示態様が、内部抽選で当選した役と一致した場合に入賞が確定し、上記停止図柄の組み合わせに応じた遊技価値が遊技者に付与される。たとえば、遊技メダルの払い出しを伴う役が有効入賞ライン３ａ上に停止した場合、遊技機筐体１内のホッパーユニット５００（メダル払出装置：図４参照）が作動して、所定枚数の遊技メダルの払い出しが行われる。この遊技メダルは、遊技者が遊技を開始する際に必要なものであり、遊技価値を有するものといえる。
【００３０】
また、第２の表示窓４は液晶画面視認部であり、遊技機の中央より上側に設けてある。この液晶画面視認部４は、前扉２の裏側に装着された画像表示装置としての液晶表示装置６（ＬＣＤユニット）の表示画面６ａ（液晶画面６ａと略す）に対応して、たとえば回胴視認部３よりも少し小さい矩形状に形成されている。遊技者はこの液晶画面視認部４を介して液晶画面６ａを前側から視認可能となっている。この液晶画面６ａには、遊技に伴う演出が画像により表示される。液晶表示装置６は広義には演出を現出する演出装置として機能し、ＡＴ（アシストタイム）遊技状態において当選役を報知する主たる手段として働く。なお、本実施形態では、液晶表示装置６を設けているが、これに限らず、電子ペーパを用いた画像表示装置、プラズマディスプレイ（ＰＤＰ：Ｐｌａｓｍａ Ｄｉｓｐｌａｙ Ｐａｎｅｌ）等であってもよく、回転式ドラムによる演出表示装置、７セグによる演出表示装置、またはこれらを組合せたものであってもよい。
【００３１】
回胴視認部３の左右両側には、ＬＥＤを内蔵し、発光色の種類や発光態様（点滅・点灯、発光強度の増減等）による光の装飾により、遊技に伴う演出を現出する装飾ランプ部１３が設けられている。上記装飾ランプ部１３は、広義には演出を現出する演出装置として機能するが、ＡＴ遊技状態において当選役を報知する手段の一部としても機能する。
【００３２】
本発明において、ＡＴ遊技状態が発生している間、当選役を遊技者に報知する演出手段は、視覚、聴覚、触覚など、人間の知覚に訴えることができる刺激伝達手段であれば採用することができる。ランプや画像形成装置などの光発生手段ないし演出表示装置、スピーカなどの音響発生装置、遊技者の体に振動を伝える加振装置、遊技者の体に風圧を与える風圧装置などはその代表例である。上記演出表示装置は、画像表示装置や液晶表示装置と同じく、視覚に訴える表示装置であるが、画像によらないもの（７セグによる表示装置など）も含む点で画像表示装置と異なる。上記液晶表示装置６は画像表示装置の代表例である。液晶表示装置と言った場合は主として画像で表示するタイプを指し、７セグメントの表示装置のように画像以外の表示により演出を表現するものは、上記演出表示装置の概念の中に含まれる。
【００３３】
回胴視認部３の下方の段部には、遊技に供する遊技媒体としての遊技メダルを投入するためのメダル投入口７と、貯留装置（遊技機に投入された遊技メダル、または入賞によって獲得した遊技メダルを貯留して、その貯留数を電磁的方法よって記憶可能とする機能を備えた装置）に貯留された範囲、すなわちクレジットされた範囲内で、遊技メダルを最大枚数賭けで一度に擬似投入し得るＭＡＸＢＥＴボタン８、押した回数に応じて最大賭け枚数まで加算的に擬似投入し得る貯留メダル投入ボタン９、クレジットされた遊技メダルの精算を行う貯留メダル精算ボタン１０が設けられている。
【００３４】
さらに、回胴視認部３の上記段部の下側に横長状に設けられた操作パネル部１４には、メダル投入口７内に詰まったメダルを返却させるための返却ボタン１５、回胴５ａ、５ｂ、５ｃの回転を一斉に開始させるための回胴回転始動レバー１１、各回胴５ａ、５ｂ、５ｃの回転を個別に停止させるための３個の回胴回転停止ボタン１２ａ、１２ｂ、１２ｃ（以下、必要に応じて、回胴回転停止ボタン１２ａを「左回胴回転停止ボタン１２ａ」、回胴回転停止ボタン１２ｂを「中回胴回転停止ボタン１２ｂ」、回胴回転停止ボタン１２ｃを「右回胴回転停止ボタン１２ｃ」と称し、またこれら回胴回転停止ボタンを総称して、単に「回胴回転停止ボタン１２」と称する）が設けられている。
【００３５】
また、上記ボタンやレバーには、その内部に、操作が有効であるか否かを遊技者に報知するための発光手段（ＬＥＤ）を設けており、このＬＥＤの発光態様（発光色、点灯、点滅、消灯など）により操作の有効、無効を報知するように構成されている。本実施形態では、上記操作手段として、各回胴回転停止ボタン１２ａ、１２ｂ、１２ｃとＭＡＸＢＥＴボタン８を利用することとしているので、これらボタンの内部にＬＥＤを設けて、通常遊技や操作型遊技において、上記各ボタン操作が有効であるか無効であるかを、当該ＬＥＤの発光態様により遊技者に報知するようにしている。
【００３６】
上記したＭＡＸＢＥＴボタン８、貯留メダル投入ボタン９、貯留メダル精算ボタン１０、回胴回転始動レバー１１、回胴回転停止ボタン１２ａ、１２ｂ、１２ｃのそれぞれには、これらが操作された際に、操作検出情報を生成するスイッチ（８ａ、９ａ、１０ａ、１１ａ、１２ａ’、１２ｂ’、１２ｃ’：図４参照）が備えられている。
【００３７】
また操作パネル部１４の下方には、遊技機の魅力をアピールするための色彩や絵柄が施され装飾パネル部１７が設けられている。
【００３８】
装飾パネル部１７の下方には、前扉２と一体的に装着された横長状のメダル受け皿１８が設けられ、このメダル受け皿１８には、遊技メダル払出装置から払い出された遊技メダルや返却された遊技メダルを前側に排出するための遊技メダル払出口１９が開口している。
【００３９】
また、前扉２の前扉上部両側および前扉下部両側には、遊技に伴う演出効果音を外部に出力する音響出力部としてのスピーカ１６が設けられている。スピーカ１６は、広義には演出を現出する演出手段として機能するが、ＡＴ遊技状態において当選役を報知する手段の一部としても機能する。
【００４０】
図２は、本実施形態の回胴式遊技機の各回胴（リール）５ａ、５ｂ、５ｃの図柄配列を示す図である。左列が回胴５ａに対応する図柄配列、中列が回胴５ｂに対応する図柄配列、右列が回胴５ｃに対応する図柄配列である。各列には図柄が２１コマあり、上から０番〜２０番までコマ番号が割り当てられている。
【００４１】
遊技者が回胴回転停止ボタン１２ａ、１２ｂ、１２ｃを操作すると回胴の図柄変動が停止するが、有効入賞ライン上に揃った図柄の組合せに応じたメダルが払い出される。
【００４２】
図３は、本実施形態の回胴式遊技機の有効入賞ラインを示す図である。まず、図３（ａ）に示すように２本の非直線状の有効入賞ラインがある。１本目は、左列が上段、中列が中段、右列が上段の小Ｖ字型であり、２本目は、左列が下段、中列が中段、右列が下段の小山型である。
【００４３】
次に図３（ｂ）に示すように２本の直線状の有効入賞ラインがある。１本目は、左列が上段、中列が中段、右列が下段の右下がり型であり、２本目は、左列が下段、中列が中段、右列が上段の右上がり型である。これらの有効入賞ラインは、遊技の賭け数により増減するが、最大の賭け数をベットした場合には、４本全てのラインが有効となる。
【００４４】
＜２．回路構成＞
次に、本発明に係る回胴式遊技機の制御系について説明する。
【００４５】
本実施形態に係る回胴式遊技機は、図４に示すように、遊技動作全般の制御を司る主制御基板４００と、主制御基板４００から演出制御コマンドを受けて、画像と光と音についての演出制御を行う演出制御部４１０と、外部電源から遊技機に必要な電源を生成し供給する電源基板４４０とを中心に構成される。演出制御部４１０は、演出手段を制御するための演出制御基板４２０と液晶制御基板４６０とを含んで構成され、液晶制御基板４６０には画像表示装置としての液晶表示装置６が接続されている。
【００４６】
主制御基板４００には、遊技中継基板３７０を介して、メダル投入口７からの遊技メダルを検出するメダル検出センサ７ａと、ＭＡＸＢＥＴボタン８の操作を検出するＭＡＸＢＥＴスイッチ８ａと、貯留メダル投入ボタン９の操作を検出する貯留メダル投入スイッチ９ａと、貯留メダル精算ボタン１０の操作を検出する貯留メダル精算スイッチ１０ａと、回胴回転始動レバー１１の操作を検出する回胴回転始動スイッチ１１ａと、停止スイッチ基板３６０と、が接続されており、これらからの信号が入力される。また、停止スイッチ基板３６０には、回胴回転停止ボタン１２ａ、１２ｂ、１２ｃの操作を検出する回胴回転停止スイッチ１２ａ’、１２ｂ’、１２ｃ’や各回胴回転停止ボタン１２ａ、１２ｂ、１２ｃの内部に設けられるＬＥＤが搭載されている。
【００４７】
また、主制御基板４００には、回胴中継基板３３０を介して回胴装置２１０の回胴５ａ、５ｂ、５ｃを回転駆動するための回胴駆動モータ２１１ａ、２１１ｂ、２１１ｃおよび回胴位置検出センサ（各回胴に設けられているセンサであって、図柄の基準となる位置や回胴の回転を検出するためのセンサ）２１２ａ、２１２ｂ、２１２ｃが接続されている。主制御基板４００は、回胴駆動モータ２１１ａ、２１１ｂ、２１１ｃを制御して、各回胴５ａ、５ｂ、５ｃの回転動作および目的とする位置への各回胴５ａ、５ｂ、５ｃを停止させる停止動作を実現している。
【００４８】
また、主制御基板４００には、払出中継基板３５０を介してホッパーユニット５００が接続されている。ホッパーユニット５００には、払出制御基板４５０、メダル払出センサ５２０およびホッパーモータ５１０が配置されており、払出制御基板４５０は、主制御基板４００から送信された遊技メダルの払い出しに関する払出制御コマンドに基づき、ホッパーモータ５１０を駆動制御し、目的とする枚数の遊技メダルを払い出すようになっている。払い出された遊技メダルは、メダル払出センサ５２０によって検出される。
【００４９】
さらに、主制御基板４００には、外部集中端子基板３１０が接続されている。外部集中端子基板３１０は、ホール全体の遊技機を統括的に管理するホールコンピュータＨＣに所定の遊技情報を送信する。また、さらに主制御基板４００には、回胴設定基板４３０が接続されている。回胴設定基板４３０は、ホール関係者が所持する設定鍵を挿入するための設定キースイッチ、上記設定鍵が挿入されることを条件に遊技の出玉率に変化をもたらす「設定」を変更したり遊技動作に異常状態が発生した場合にこれを解除したりするためのリセットスイッチ等が設けられている。回胴設定基板４３０は、上記各スイッチの操作を検出して、その信号を出力する。
【００５０】
主制御基板４００には、演出Ｉ／Ｆ基板３４０を介して接続された演出制御基板４２０と液晶制御基板４６０とが接続されている。
【００５１】
演出制御基板４２０は、主制御基板４００からの制御コマンドを受けて、スピーカ１６やＬＥＤ基板３８０を制御する制御基板である。
【００５２】
また演出制御基板４２０は、主制御基板４００から送信される演出制御コマンドを受けて、これに関連付けられた液晶コマンドを液晶制御基板４６０に送信する。
【００５３】
液晶制御基板４６０は、演出制御基板４２０からの液晶コマンドを受けて、液晶表示装置６を駆動制御し、演出内容に沿った画像を表示して画像による演出を実現している。この液晶制御基板４６０には、図示はしていないが、液晶制御ＣＰＵ、液晶制御ＲＡＭ、液晶制御ＲＯＭ、画像ＲＯＭ、ビデオＲＡＭ、画像ＩＣ等を備えている。液晶制御ＣＰＵは、液晶コマンドに基づいて、液晶制御ＲＯＭに記憶された画像制御プログラムに従い、液晶表示装置６に表示する演出内容を決定する。液晶制御ＲＡＭは、液晶制御ＣＰＵによる画像制御プログラムの実行の際、データ（プログラムで使用されるフラグや変数の値）を一時的に記憶する作業領域として利用される。画像ＩＣは、液晶制御ＣＰＵで決定された演出に沿った画像データを画像ＲＯＭから読み出し画像を形成し、液晶表示装置６に出力する。ビデオＲＡＭは、画像ＩＣが画像を形成する際に発生するデータを一時的に記憶する作業領域として利用される。
【００５４】
なお、本実施形態では、演出制御基板４２０と液晶制御基板４６０とを別個の基板で遊技機に設けているが、これらの基板が担う機能を備えた演出部として一体的に構成し、１つの基板に搭載してもよい。
【００５５】
次に、図５を参照しつつ、主制御基板４００および演出制御基板４２０の回路構成について説明する。
【００５６】
先ず、主制御基板４００の回路構成について説明する。図４に示すように、主制御基板４００は回胴式遊技機の遊技動作全般の制御を司る主制御側の制御基板であり、１チップマイクロコンピュータ４０１を中心に、主制御基板４００に接続された各基板との間の信号を入出力するＩ／Ｏポート回路４０２、カウンタ回路４０３、主制御基板４００に接続された外部周辺基板との信号のやり取りを仲介するインターフェース（Ｉ／Ｆ）回路４０４〜４０６、モータ駆動回路４０７、およびスイッチ入力回路４０８を備えている。回胴式遊技機における遊技動作制御は、１チップマイクロコンピュータ４０１を中心として各上記回路が連携し合い、１チップマイクロコンピュータ４０１は、遊技動作を制御する制御信号（制御コマンドを含む）を周辺基板に送信して遊技動作全般を制御している。
【００５７】
１チップマイクロコンピュータ４０１は、メインＲＯＭ４０１ａ、メインＲＡＭ４０１ｂ、およびメインＣＰＵ４０１ｃを備え、その他、一定周期のパルス出力を作成する機能や時間計測の機能を有するＣＴＣ（Ｃｏｕｎｔｅｒ Ｔｉｍｅｒ Ｃｉｒｃｕｉｔ）４０１ｄ、メインＣＰＵ４０１ｃに割り込み信号を付与する割り込みコントローラ回路４０１ｅを備えている。
【００５８】
メインＣＰＵ４０１ｃは、ＣＴＣ４０１ｄを利用して計時機能等を発揮し、メインＲＯＭ４０１ａに記憶された遊技動作制御プログラム（回胴式遊技機全体をどのように動作させるかが記述されているプログラム）を実行して遊技の進行に係る全般的な処理を行う。メインＲＡＭ４０１ｂは、メインＣＰＵ４０１ｃが上記遊技動作制御プログラム実行する際、データ（プログラムで使用されるフラグや変数の値）を一時的に記憶する作業領域として利用される。
【００５９】
メインＲＯＭ４０１ａには、上記遊技動作制御プログラムの他、抽選により入賞役を決定する際に用いられる役抽選テーブル（図７Ａ参照）、有効入賞ライン３ａ上に停止した図柄の確認や払い出し枚数を決定するための入賞払出判定テーブル（図６参照）も記憶されている。
【００６０】
カウンタ回路４０３は、図示はしていないが、ハードウェア的に一定範囲の乱数を生成する乱数生成回路と当該乱数生成回路から所定のタイミングで乱数値をサンプリングするサンプリング回路とを備えている。メインＣＰＵ４０１ｃは、処理状態に応じて上記サンプリング回路に指示を送ることで、上記乱数発生回路が示している数値を内部抽選用乱数値として取得する。この内部抽選用乱数値は、主に入賞役の抽選に利用される。ここで上記入賞役の抽選は、「役抽選手段」により行われ、この「役抽選手段」は主制御基板４００の１チップマイクロコンピュータ４０１がその機能を担い、各回胴５ａ、５ｂ、５ｃの回転による単位遊技の実行ごとに、ハズレ役を含む複数の入賞役の抽選を行う機能部をいう。より具体的には、１または複数の入賞役若しくはハズレ役に対応付けられた当選領域を遊技状態ごとに定めた抽選領域を対象として抽選を実行し、その抽選結果を示す抽選結果情報を生成する。この役抽選手段による抽選は、図７Ａに示す役抽選テーブルに基づき行われる。
【００６１】
この役抽選テーブルは、抽選される入賞役の種類を定めたものである。本実施形態における役抽選テーブルの抽選領域の大きさは６５５３６となっており、この範囲で各入賞役の当選領域が定められている。また、役抽選テーブルには各遊技状態（ＲＴ状態、ボーナス作動状態）に対応する複数の役抽選テーブルが用意されており、上記役抽選手段は、各遊技状態に応じた役抽選テーブルを選択し、入賞役に関する抽選を行っている。
【００６２】
Ｉ／Ｆ回路としては、演出制御基板４２０とのＩ／Ｆ回路４０４、遊技中継基板３７０とのＩ／Ｆ回路４０５、およびその他の基板とのＩ／Ｆ回路４０６が配置されている。Ｉ／Ｆ回路４０５のスイッチ入力回路４０８には、遊技機本体に配置された各種スイッチやセンサからの信号が入力される。
【００６３】
また、モータ駆動回路４０７は、１チップマイクロコンピュータ４０１の制御の下、回胴駆動モータ２１１ａ、２１１ｂ、２１１ｃを駆動制御する制御信号を出力する。
【００６４】
各回胴５ａ、５ｂ、５ｃの回転制御および停止制御は、１チップマイクロコンピュータ４０１とモータ駆動回路４０７とによって行われており、これらは停止制御手段を構成している。
【００６５】
次に、上記停止制御手段による回胴５ａ、５ｂ、５ｃの回転制御について説明する。モータ駆動回路４０７は、１チップマイクロコンピュータ４０１の制御の下、回胴駆動モータ２１１ａ、２１１ｂ、２１１ｃに駆動パルス信号を出力する。モータ駆動回路４０７は、回胴５ａ、５ｂ、５ｃを１回転させるために必要な上記駆動パルス信号として、１−２相励磁方式で１回転させるために出力相パターンを５０４回（１図柄のステップ数を２４カウントとし、図柄を１コマ進める位置が２１箇所あるため）出力し、回胴５ａ、５ｂ、５ｃの回転を制御している。
【００６６】
また、１チップマイクロコンピュータ４０１には、各回胴位置検出センサ２１２ａ、２１２ｂ、２１２ｃからの検出信号が入力される。各回胴位置検出センサ２１２ａ、２１２ｂ、２１２ｃからの検出信号は、各回胴５ａ、５ｂ、５ｃの基準位置を示すリセット信号として１チップマイクロコンピュータ４０１に入力される。１チップマイクロコンピュータ４０１は、上記リセット信号が入力されたときに各回胴駆動モータ２１１ａ、２１１ｂ、２１１ｃに供給する上記出力相パターンの出力回数を計数している回胴励磁出力カウンタをクリアし、回胴励磁出力カウンタを順次更新しながら、モータ駆動回路４０７を制御して各回胴の回転動作を実現している。１チップマイクロコンピュータ４０１は、回胴ごとの回胴励磁出力カウンタのカウント値を監視することで上記基準位置からの図柄ステップ数を把握し、基準位置（本実施形態では、枠内下段位置）にどの図柄が移動してきているのかを識別する。
【００６７】
次に、回胴５ａ、５ｂ、５ｃの停止制御について説明する。１チップマイクロコンピュータ４０１は、上記役抽選手段による抽選結果と抽選結果に対応する停止制御パターンを定めた停止制御テーブル（図省略）とを参照し、回胴回転停止ボタン１２ａ、１２ｂ、１２ｃが操作されるごとに有効入賞ライン３ａ上に停止させる図柄（本実施形態では、基準位置に停止させる図柄を決定することにより有効入賞ライン３ａ上に停止させる図柄が定まるようにしている）の種類を決定する。そして、決定した図柄を所定の引き込みコマ数範囲内で有効入賞ライン３ａ上に停止させるように回胴駆動モータ２１１ａ、２１１ｂ、２１１ｃへの出力相パターン信号を制御して、目的とする位置に回胴５ａ、５ｂ、５ｃの停止動作を実現している。
【００６８】
具体的には、各回胴回転停止ボタン１２ａ、１２ｂ、１２ｃが操作されたタイミングで、このときに基準位置に存在する図柄情報（停止操作図柄番号）を取得し、この停止操作図柄番号と上記抽選結果に対応する停止制御テーブルとに基づいて、図柄の引き込みコマ数を決定し、回胴を停止させる。上記停止制御テーブルには、図示はしていないが、停止操作タイミングに基づく回胴の停止位置（どの図柄を基準位置に停止させるか）を定めた停止テーブルや回胴の停止操作順に応じた上記停止テーブルを択一的に選択するために用いられる停止用図柄停止テーブル選択テーブルを含み、これら各テーブルは、遊技状態および当選役ごとにそれぞれ設けられている。また上記停止テーブルには、停止操作番号に基づく滑りコマ数が最大引き込みコマ数範囲内で定められている。したがって、当選役を構成可能な図柄と上記停止操作図柄番号との差が所定の引き込みコマ数（本実施形態では最大引きコマ数を４コマに設定している）範囲内であれば、上記当選役を構成可能な図柄を所定の有効入賞ライン３ａ上に引き込む形態で、回胴の停止制御が行われることになる（いわゆる、引き込み制御）。なお、有効入賞ライン３ａ上に停止した図柄は、上記基準位置にどの図柄が停止したかで自然と定まるので、各回胴５ａ、５ｂ、５ｃの有効入賞ライン３ａ上にどの図柄が停止したかは、回胴の停止毎に把握することができるようになっている。
【００６９】
このように、本実施形態では、遊技者による回胴の停止操作のタイミングに従い、当選役を有効入賞ライン３ａ上で極力一致させるべく、最大引き込みコマ数範囲内で各回胴５ａ、５ｂ、５ｃの停止制御が行われる。したがって、上記引き込み制御の特性と有効入賞ラインのライン取りとの関係に基づいて各回胴の図柄配列帯に図柄を配置すれば、遊技者による回胴の停止操作のタイミングにかかわらず、特定の当選役を１００％引き込み可能にしたり、停止操作のタイミングに応じて最大引き込みコマ数引き込んでも当選役が有効入賞ライン上に停止しないようにしたりすることができる。
【００７０】
＜３．各種テーブル＞
（３−１．入賞払出判定テーブル：図６）
図６は、本実施形態の回胴式遊技機の役構成と払出枚数の関係を表す入賞払出判定テーブルを示す説明図である。例えば、図６の１段目の当選役は「ＲＢ（レギュラーボーナス）」であり、３ＢＥＴは、遊技におけるコインの賭け数が３枚であることを示している。役構成、すなわち図柄の組合せは回胴５ａに対応する左が「青７」、回胴５ｂに対応する中が「青７」、回胴５ｃに対応する右が「バー」であることを示している。以下では、役構成を「青７・青７・バー」のように表記する。
【００７１】
［ボーナス役］
ボーナス役は、「ＲＢ（レギュラーボーナス）」と「ＢＢ（ビッグボーナス）」の２種類がある。まず、「ＲＢ」は、役構成が「青７・青７・バー」である。ＲＢとは、ＢＢと比較して利益の小さなボーナスであり、所定枚数メダルを獲得可能な特別遊技への移行契機となる役である。
【００７２】
一方、「ＢＢ」は、役の構成が「青７・青７・青７」である。ＢＢはＲＢと比較して利益の大きなボーナスであり、ＲＢよりも多い所定枚数のメダルを獲得可能な特別遊技への移行契機となる役である。
【００７３】
上記ボーナス役は、その当選フラグを次回ゲームに持ち越すことが許容されている。すなわち、遊技者はボーナス役が当選したゲームにてボーナス図柄の組合せを有効入賞ライン上に停止させることができなかったとしても、フラグが消滅せず次回以降のゲームでボーナス図柄の組合せを停止させることが可能である。
【００７４】
また、ボーナスのフラグが持ち越されている状態においても毎ゲームで内部抽選が行われ、ボーナス役以外の小役が当選する場合がある。このような場合、当選フラグが次回以降のゲームに持ち越されることのない小役を優先して入賞させるようにリールの停止制御が行われる。
【００７５】
［再遊技（リプレイ）役］
再遊技役は全部で１０種類ある。再遊技役とは、入賞が確定した場合に今回の遊技で投入した遊技メダルと同一の枚数を擬似的に付与して次回の遊技を開始可能とする役である。すなわち、遊技者が遊技メダルを投入（クレジットからの擬似的な投入を含む）することなく、所定の遊技開始条件を付与し、次回の遊技を開始可能とする。遊技者が遊技メダルを減らすことなく次回の遊技が可能になるという点では、遊技メダルと同様に遊技価値を有するものといえる。
【００７６】
役構成としては、「リプレイＡ・リプレイＡ・リプレイＡ」のように同一再遊技図柄の組合せがあるが、この他にも「青７・赤７・青７」や「青７・赤７・バー」のような３個の図柄が全て揃っていない組合せもある。なお、遊技状態がＲＴ状態（リプレイタイム）に移行したときは、再遊技役が当選しやすい状態となり、メダルの消費を抑えながら遊技を進めていくことが可能である。
【００７７】
［ベル役］
ベル役は全部で８種類あり、３ＢＥＴのとき払出枚数が９枚、２ＢＥＴのとき払出枚数が２枚である。役構成としては、「ベルＡ・ベルＡ・ベルＡ」のような同一ベル図柄の組合せがあるが、「ベルＡ・ベルＡ・ベルＢ」のように３個の図柄が全て揃っていないベル役もある。
【００７８】
［スイカ役］
スイカ役は１種類あり、３ＢＥＴのとき払出枚数が９枚、２ＢＥＴのとき払出枚数が１２枚である。役構成としては、「スイカ・スイカ・スイカ」である。いわゆる小役としては、最も払出枚数の多い役である。詳細は後述するが、「ＢＢ」、「ＲＢ」と重複当選（同時成立）する役となっている（図７Ａ参照）。
【００７９】
［チェリー役］
チェリー役はチェリーＡとチェリーＢの２種類あり、何れも３ＢＥＴのとき払出枚数が１枚、２ＢＥＴのとき払出枚数が４枚である。チェリーＡの役構成は、「ＡＮＹ・チェリー・ＡＮＹ」であるが、「ＡＮＹ」とは、図柄の種類は問わないという意味であり、チェリーＡの有効入賞ライン３ａ上の図柄の組合せは、中列がチェリー図柄であれば左右列は何れの図柄であっても払出枚数のメダルを獲得可能である。
【００８０】
また、チェリーＢの役構成は、「ＡＮＹ・バー・ＡＮＹ」であり、同様に有効入賞ライン３ａ上の図柄の組合せは、中列がバー図柄であれば左右列は何れの図柄であっても払出枚数のメダルを獲得可能である。なお、チェリー役についても「ＢＢ」、「ＲＢ」と重複当選する役となっている。
【００８１】
［１枚役］
１枚役は１種類あり、２ＢＥＴのとき、３ＢＥＴのときいずれも払出枚数が１枚である。役構成としては、「青７・バー・ベルＡ」である。１枚役についても「ＢＢ」、「ＲＢ」と重複当選する役となっている。
【００８２】
（３−２．役抽選テーブル：図７Ａ、７Ｂ）
図７Ａは、本実施形態の回胴式遊技機の役抽選テーブルを示す図である。遊技状態毎に抽選の対象となる役が異なっている。遊技状態が「ＲＴ１」の状態では、合計３９種類の役が当選し得る。同様に、「ＲＴ２」の状態では３５種類、「ＢＢ作動中」の状態では３種類、「ＲＢ作動中」の状態では１４種類の役が当選し得る。なお、何れの役にも当選しなかった場合は「ハズレ」となるが、図面上省略した。
【００８３】
後述する停止制御用データ設定テーブル（図９Ａ、９Ｂ参照）では、各遊技状態で当選し得る抽選対象を「○」で示しているが、実際の役抽選テーブルには抽選のための判定値が記憶されている。
【００８４】
例えば、図７Ａでは「ＲＴ１」の列の１段目が「ＢＢ」となっている。これは、遊技状態が「ＲＴ１」のとき、「ＢＢ」が抽選対象であることを示している。
【００８５】
また、「ＢＢ＆チェリー」とは、「ＢＢ」と「チェリー」が重複当選することを意味し、「ＲＢ＆チェリー」とは、「ＲＢ」と「チェリー」が重複当選することを意味する。このような重複当選の役があることで、遊技者は「チェリー」が入賞した場合に、同時に「ＢＢ」または「ＲＢ」の何れかのボーナス役にも当選しているのではないかと期待感を抱くこととなる。
【００８６】
「複合ベル」とはベル役であるが、「ベル１」〜「ベル８」が成立する役であり、「複合ベル」が当選したゲームでは、遊技者の操作により「ベル１」〜「ベル８」の何れかが停止する。図７Ｂに、主に、複数の役が停止可能な当選役の一覧を示す。例えば、「ＲＰ３」とは再遊技（リプレイ）役の１つであるが、「リプレイ３」、「リプレイ５」、「リプレイ７」が成立する役である。「ＲＰ３」が当選したゲームでは、遊技者の操作により、上記３種類の再遊技役のうち何れかが停止する。
【００８７】
「ＡＴ１」はＡＴ（アシストタイム）役の１つであり、「スイカ」、「ベル１」、「ベル６」が成立する。例えば、「ＡＴ１」が当選したゲームでは、遊技者の操作により、上記３種類のうち何れかの役が停止する。何れの役が有効入賞ライン３ａ上に停止するかは、遊技者の回胴回転停止ボタンの停止順と停止操作のタイミングにより決定される。
【００８８】
遊技状態が「ＲＴ２」のときは、再遊技役が「ＲＰ１１」〜「ＲＰ１６」となっている点で「ＲＴ１」の状態と異なるが、その他の点は同じである（図７Ａ参照）。
【００８９】
遊技状態が「ＢＢ作動中」のときは、「ボーナス中チェリー１」、「ボーナス中チェリー２」、「全小役」の３種類が当選し得る。図７Ｂに示す通り「ボーナス中チェリー１」の内容は、「チェリーＢ」である。また、「ボーナス中チェリー２」の内容は、「チェリーＢ」、「１枚役」であるから、遊技者の操作により、何れかが停止する。また、「全小役」とは、ベル役、スイカ役等の全ての小役のことを示す。
【００９０】
遊技状態が「ＲＢ作動中」のときには、「ボーナス中チェリー１」、「ボーナス中チェリー２」の他、１２種類のＡＴ役が当選し得る。「ボーナス中チェリー１」、「ボーナス中チェリー２」については、上述の内容と同じである。また、「ＲＢ中ＡＴ１」とは、ＲＢ作動中に当選する「ＡＴ１」である。
【００９１】
（３−３．当選役データ：図８）
図８は、本実施形態の回胴式遊技機の当選役データを示す図である。当選役データとは、内部抽選の結果に応じて設定されるデータであり、主制御基板４００のメインＲＡＭ４０１ｂに割り当てられた所定の記憶領域に格納される。当選役データは、図８の通り各ビットが当選役、または、停止可能な役（成立役）に対応しており、データ量は全体で約４バイトである。
【００９２】
詳細は後述するが、当選役データは誤入賞判定（図１８参照）に用いられるデータでもある。誤入賞判定は、毎ゲームのリールの停止後に、当選役データと停止役データをビット演算することで一致、不一致を判定する。不一致の場合は、内部抽選に当選していない役が何らかの誤作動や不正により入賞したことを意味する。
【００９３】
また、「成立役」とは今回のゲームで当選した役の他、後述するボーナス持越しフラグに対応する役、すなわちボーナス役のように以前のゲームにおいて内部成立した役が含まれる。例えば、１バイト目ビット１の「ＢＢ」は、内部抽選により「ＢＢ」が成立したゲームで設定される他、「ＢＢ」フラグが持ち越されているゲームにおいても、他の小役が当選していない場合に選択され得る。
【００９４】
なお、「ＢＢ＆スイカ」のように当選役が複数ある場合は、それぞれに対応した複数のビットが当選役データとして設定される。
【００９５】
（３−４．停止制御用データ設定テーブル：図９Ａ、９Ｂ）
図９Ａ、９Ｂは、メインＲＯＭ４０１ａに格納されている停止制御用データ設定テーブルを示す図である。停止制御用データは、複数種類ある停止制御テーブル（図省略）を選択するときに参照されるデータであり、当選役に応じて設定される。
【００９６】
停止制御用データのデータ数は、０〜７３までの合計７４種類であるため、全体でも１バイトで十分な容量である。１つの当選役に対し、１つの停止制御データを割り当てるとデータ量は膨大になってしまうが、図７Ｂの「ＲＰ３」のように複数の再遊技役（「リプレイ３」、「リプレイ５」、「リプレイ７」）に対して、１つの停止制御用データを割り当てることで、停止制御用データの容量を抑えている。
【００９７】
図９Ａ、９Ｂでは、各遊技状態で当選し得る抽選対象を「○」で示している。例えば、「チェリー」（停止制御用データ１７）や「スイカ」（停止制御用データ３３）は、一般遊技中かつボーナス非当選の状態で抽選対象であり、「ＡＴ１」（停止制御用データ１８）等のＡＴ役は一般遊技中かつボーナス非当選の状態およびＲＢ中にて抽選対象である。
【００９８】
ここで、「ハズレ」の場合は、ＲＴ１およびＲＴ２中では「停止制御用データ０」が設定されるが（図９Ａ参照）、ＢＢ中の「ハズレ」の場合は「停止制御用データ７２」が設定される（図９Ｂ参照）。
【００９９】
また、「チェリー」の場合、ボーナス非当選のときは「停止制御用データ１７」、ＢＢ当選のときは「停止制御用データ３７」、ＲＢ当選のときは「停止制御用データ５５」が設定され、ボーナス中は「停止制御用データ３４」、または、「停止制御用データ３５」がそれぞれ設定される（図９Ａ、９Ｂ参照）。
【０１００】
このように、同種類の当選役であっても遊技状態に対応して異なる停止制御用データが割り当てられている。このため、リール演出を抽選する際に、遊技状態の判別をすることなく停止制御用データを判断するだけで、遊技状態毎の抽選を行うことができる。
【０１０１】
（３−５．停止役データ：図１０）
図１０は、本実施形態の回胴式遊技機の停止役データを示す説明図である。停止役データとは、遊技者がリールの停止操作を完了したとき、停止結果に応じて作成されるデータであり、主制御基板４００のメインＲＡＭ４０１ｂに割り当てられた所定の記憶領域に格納されている。図１０のように各ビットが停止役（入賞役）に対応しており、データ量は全体として約４バイトである。
【０１０２】
停止役データは、図８の当選役データと照合することで、誤入賞判定（図１８参照）に用いられる。４バイト目に「ＲＴ作動図柄１」〜「ＲＴ作動図柄４」が記憶されている点は当選役データと異なるが、ＲＴ作動図柄は、リプレイタイムへ遊技状態が移行する際に出現する図柄であるため、誤入賞の判定には使用されない。このため、停止役データには含まれているが、当選役データには含まれていない。
【０１０３】
（３−６．リール演出抽選テーブル：図１１）
図１１は、本実施形態の回胴式遊技機のリール演出（回胴の演出動作）抽選テーブルを示す図である。図１１は、停止制御用データ設定テーブル（図９Ａ、９Ｂ）からリール演出の対象となる複数のデータを抽出したものである。以下、図１１を参照して、リール演出の抽選について説明する。
【０１０４】
まず、「リール演出」とは、通常のリールの変動方向、変動速度とは異なる態様でリールを動作させ、ボーナス役、小役の当選を報知する演出をいう。この演出が実行されることにより遊技者は、リールの変動態様に大きな違和感を覚え、同時にボーナス役や当選確率の低い小役に内部当選したのではないかという期待感を抱くことになる。
【０１０５】
第１のリール演出として、「フリーズ演出」がある。この演出では、遊技者がゲームを開始しようとして始動レバーを操作するものの、一定期間はリールの図柄変動が開始しない。すなわち、遊技が固定され、遊技者に対し操作が無効となったという印象を与える演出である。本実施形態の回胴式遊技機では、５秒間のフリーズ演出や、フリーズ演出を後述する逆回転演出と組合せて１つの演出とし、特定の役の当選を報知する。
【０１０６】
第２のリール演出として、「逆回転演出」がある。通常、リールは上方から下方に向かって変動するが、逆回転演出では逆方向、すなわちリールが下方から上方へ向かって変動する。また、逆回転演出を３０秒間行い、前述のフリーズ演出と組合せて１つの演出とし、特定の役の当選を報知する。
【０１０７】
第３のリール演出として、「遅れ変動演出」がある。通常、遊技者が始動レバーを操作したとき、全てのリールはほぼ同時に変動を開始する。しかし、遅れ変動演出では、１つのリールのみが他のリールの変動開始に遅れて、変動を開始する。本実施形態では、左回胴５ａまたは右回胴５ｃを他のリールの変動開始より遅らせる演出とし、特定の役の当選を報知する。
【０１０８】
図１１では、例えば、内部抽選にて「ＢＢ」（停止制御用データ３６）が当選したとき、「フリーズ５秒」、「フリーズ５秒＋逆回転３０秒」、「左遅れ」、「右遅れ」の何れかのリール演出が選択されることを示している。停止制御用データを判定し、リール演出が発生する可能性がある場合は、主制御基板側のマイクロコンピュータ４０１（メインＣＰＵ４０１ｃ）にてリール演出抽選が実行される。また、リール演出を選択するための乱数値は０〜１２７までの１２８個ある。図中の数字は、各リール演出の選択率がそれぞれ６２／１２８、２６／１２８、２０／１２８、２０／１２８であることを示している。
【０１０９】
ここで、内部抽選にて「ＢＢ」（停止制御用データ３６）が選択されたとき、この停止制御用データを利用してリール演出抽選を行うのが本発明の特徴である。停止制御用データに基づき、何れのリール演出を実行するのかを抽選するのであり、リール演出抽選用の乱数を毎ゲーム取得しているわけではない。データ量の小さい停止制御用データを利用してリール演出抽選を行うことで、当選役データ（約４バイト）を利用してリール演出抽選を行うよりも動作制御の負担が軽減されるという利点がある。
【０１１０】
「ＢＢ」（停止制御用データ３６）の説明に戻るが、リール演出が発生する状態としては、図１１に示す通り、一般遊技中のＢＢ当選ゲームのみとなっている。換言すれば、ＢＢフラグが持ち越された状態のゲームでは、リール演出を発生させない。ＢＢフラグが持ち越された状態でも各ゲームで内部抽選は行われ、再遊技役、ベル役等の小役が当選する場合がある。このような場合、次回以降のゲームに持ち越すことができない小役を優先してリールの停止制御が行われる。すなわち、各ゲームの当選役に応じた演出を優先するため、ＢＢフラグが持ち越されているゲームでは、リール演出が発生しないようにしている。
【０１１１】
また、リール演出はリールが通常とは異なる態様で変動するため、遊技者は変動態様に大きな違和感を覚え、ほぼ見逃すことがない演出でもある。したがって、出現頻度を低く設定し、ボーナス当選の可能性が高い特別演出として使用できる。ＢＢフラグが持ち越されている状態のゲームでもリール演出を発生させることとすると、ＢＢが入賞するまでのゲームで何度かリール演出が発生することも考えられる。そこで、リール演出の特別演出としての価値が損なわれないようにＢＢ当選ゲームのみで発生するようにしている。
【０１１２】
内部抽選にて「チェリー」（停止制御用データ１７）が当選したときには、「左遅れ」、「右遅れ」の何れかのリール演出が選択される。選択率はそれぞれ１６／１２８、１６／１２８であり、残りの９６／１２８は何れのリール演出も発生しない。なお、この場合、リール演出が発生する遊技状態は、一般遊技中である。
【０１１３】
内部抽選にて「ＢＢ中ハズレ」（停止制御用データ７２）が当選したときには、１２８／１２８（１００％）の選択率で「フリーズ５秒」のリール演出が選択される。この場合、リール演出が発生する遊技状態は、ＢＢ中である。換言すれば、リール演出はボーナスフラグが持ち越された状態を除き遊技状態に関わらず発生する可能性がある。なお、ＢＢ中では、ほぼ毎ゲームで何らかの小役が当選するので、ＢＢ中でハズレとなるのは稀なケースである。したがって、リール演出を発生させてハズレを報知することとしている。
【０１１４】
＜４．制御処理＞
（４−１．主制御基板でのメイン処理：図１２）
図１２は、本実施形態の回胴式遊技機の主制御基板４００で行われるメイン処理を示すフローチャートである。このメイン処理は、具体的には主制御基板４００のメインＣＰＵ４０１ｃにより実行されるものであるが、以下の説明では、主制御基板４００が処理を実行する主体として説明する。
【０１１５】
遊技機に電源が投入されると、電源基板４４０から電源が投入された旨の電源投入信号が送られる。この電源投入信号を受けて主制御基板４００は、図１２に示すメイン処理を開始する。
【０１１６】
このメイン処理では、電源投入が行われてから初めての処理として遊技動作開始前における必要な初期設定を実行するが（図省略）、これ以外の場合には正常動作時の処理としてステップＳ１１〜Ｓ２７が行われる。
【０１１７】
まず、初期設定処理が正常に終了した後、ＲＡＭ初期化処理（ステップＳ１１）を行う。このＲＡＭ初期化処理では、前回のゲーム終了時においてメインＲＡＭ４０１ｂに記憶されていた所定のデータをクリアし、今回のゲームに必要なワークエリアを確保する。
【０１１８】
ステップＳ１１のＲＡＭ初期化処理を終えると、次に、遊技状態フラグ生成処理（ステップＳ１２）を行う。この遊技状態フラグ生成処理は、今回のゲームの遊技状態（ボーナス持越遊技、通常遊技、ボーナス遊技中等）に対応する遊技状態フラグを設定するものである。
【０１１９】
ステップＳ１２の遊技状態フラグ生成処理を終えると、次に、遊技メダル投入処理（ステップＳ１３）を行う。この遊技メダル投入処理では、主に、遊技機本体に投入された遊技メダルの検出、クレジットの管理、再遊技の要求があった場合の遊技メダルの自動投入処理等を行い、遊技開始に要する規定枚数の遊技メダルが投入された否かの監視を行う。そして、上記規定枚数の遊技メダルが投入された場合には遊技開始条件を成立させ、この条件成立状態を保持したまま、回胴回転操作始動スイッチ１１ａからの操作検出信号が送られてくるのを待つ。
【０１２０】
ステップＳ１３の遊技メダル投入処理を終えると、次に、内部抽選用乱数抽出処理（ステップＳ１４）を行う。主制御基板４００は、回胴回転操作始動スイッチ１１ａからの操作検出信号を受けると、カウンタ回路４０３のカウンタ値に基づき、内部抽選用乱数値を抽出する。
【０１２１】
ステップＳ１４の内部抽選用乱数抽出処理を終えると、次に、内部抽選処理（ステップＳ１５）を行う。この内部柄抽選処理では、主に、取得した内部抽選用乱数値と役抽選テーブル（図７Ａ）とに基づき、役に関する抽選を行う。以下、内部抽選処理ついて詳細に説明する。
【０１２２】
（４−２．内部抽選処理：図１３）
図１３は、図１２中の内部抽選処理（ステップＳ１５）を示すフローチャートである。まず、主制御基板４００は、図１２のステップＳ１２で設定した遊技状態フラグを取得し、現在の遊技状態を確認する（ステップＳ１５１）。次に、遊技状態に応じて役抽選テーブルを選択する（ステップＳ１５２）。例えば、現在の遊技状態がＲＴ１である場合、図７ＡのＲＴ１の列を選択する。そして、内部抽選により取得した乱数値と選択された役抽選テーブルに記憶されている判定値を比較し、役の抽選を行う（ステップＳ１５３）。
【０１２３】
次に、抽選結果に基づき当選役データ（図８参照）と停止制御用データ（図９Ａ、９Ｂ参照）を設定する（ステップＳ１５４）。例えば、内部抽選の結果、「ＢＢ」に当選した場合、図８の当選役データの１バイト目ビット１を設定する。同時に、図９Ｂの停止制御用データ設定テーブルから「停止制御用データ３６」を設定する。
【０１２４】
最後に、遊技開始コマンドを設定する（ステップＳ１５５）。遊技開始コマンドには、当選役に関する情報や、現在の遊技状態に関する情報が含まれ、様々な演出を制御するためコマンドである。以上の処理を行った後、内部抽選処理を終了する。
【０１２５】
図１２の説明に戻り、ステップＳ１５の内部抽選処理を終えると、次に、リール演出抽選処理（ステップＳ１６）を行う。以下、リール演出抽選処理について詳細に説明する。
【０１２６】
（４−３．リール演出抽選処理：図１４）
図１４は、図１２中のリール演出抽選処理（ステップＳ１６）を示すフローチャートである。まず、前回ゲームのボーナス持越しフラグを取得する（ステップＳ１６１）。例えば、前回ゲームで「ＢＢ」が当選し、そのフラグが持越されていた場合は、ボーナス持越しフラグが成立している状態である。
【０１２７】
次に、ボーナス持越しフラグの有無によりボーナス持越し中であるか否かを判定する（ステップＳ１６２）。ボーナス持越しフラグが成立していた場合は（ステップＳ１６２；ＹＥＳ）、ステップＳ１６４に進む。これは、ボーナスフラグの持越し中には、リール演出を行わないようにするためである。一方、ボーナス持越しフラグが成立していなかった場合は（ステップＳ１６２；ＮＯ）、ステップＳ１６３に進む。
【０１２８】
ステップＳ１６２の判定で「ＮＯ」となったとき、停止制御用データに基づきリール演出を行うか否か抽選し、当選のとき演出当選フラグをセットする（ステップＳ１６３）。
【０１２９】
この抽選の乱数値は、１２８個あり、図１１で示したように「ＢＢ」の場合、６２／１２８で「フリーズ５秒」、２６／１２８で「フリーズ５秒＋逆回転３０秒」、２０／１２８で「左遅れ」、２０／１２８で「右遅れ」のように選択される。特に「フリーズ演出」と、「遅れ変動演出」が選択された場合、演出当選フラグをセットする。なお、本実施形態のリール演出の一つである「フリーズ５秒＋逆回転３０秒」は、フリーズを含むため、「フリーズ演出」の扱いとなる。
【０１３０】
次に、演出種別コマンドをセットする（ステップＳ１６４）。各リール演出（図１１参照）について、演出種別コマンドは、「００」（リール演出なし）、「０１」（フリーズ５秒）、「０２」（フリーズ５秒＋逆回転３０秒）、「０３」（左遅れ）、「０４」（右遅れ）であり、ステップＳ１６４では、それぞれ異なるコマンドをセットする。
【０１３１】
なお、ボーナス持越し中の場合（ステップＳ１６２；ＹＥＳ）も、演出種別コマンド「００」がセットされる。
【０１３２】
次に、リール演出抽選において当選した演出が「フリーズ演出」であるか否か判定する（ステップＳ１６５）。「フリーズ演出」でない場合（ステップＳ１６５；ＮＯ）には、何れのリール演出にも当選していない場合と、「遅れ変動演出」に当選した場合があるが、いずれもリール演出抽選処理を終了する。一方、「フリーズ演出」である場合（ステップＳ１６５；ＹＥＳ）には、ステップＳ１６６に進む。
【０１３３】
ステップＳ１６６では、フリーズ時間をセットする。本実施形態の「フリーズ演出」は、図１１で示した通り５秒間であるため、セットされる時間は５秒となる。
【０１３４】
次に、指定数割り込み待ち処理（ステップＳ１６７）に進む。これは、フリーズ時間の５秒間を、後述するタイマ割込み処理（図１９参照）の実行数によりカウントする処理である。以上の処理を行った後、リール演出抽選処理を終了する。
【０１３５】
図１２の説明に戻り、ステップＳ１６のリール演出抽選処理を終えると、次に、回胴回転開始設定処理（ステップＳ１７）を行う。この回胴回転開始設定処理では、各回胴５ａ、５ｂ、５ｃの回転について開始時に必要となるデータが設定される。以下、回胴回転開始設定処理ついて詳細に説明する。
【０１３６】
（４−４．回胴回転開始設定処理：図１５）
図１５は、図１２中の回胴回転開始設定処理（ステップＳ１７）を示すフローチャートである。まず、主制御基板４００は、ウェイトタイマを取得し（ステップＳ１７１）、次にウェイトタイマが０であるか否かを確認する（ステップＳ１７２）。このウェイトタイマは、次のゲームを開始するまでの時間を設定するためのタイマであり、このウェイトタイマの設定時間（４．１秒）が経過するまでは、遊技者によるゲームを開始する操作入力が無効とされる。
【０１３７】
ウェイトタイマが０である場合は（ステップＳ１７２；ＹＥＳ）、下記のステップＳ１７４に進む。一方、ウェイトタイマが０でない場合は（ステップＳ１７２；ＮＯ）、次のステップＳ１７３に進む。
【０１３８】
ステップＳ１７３では、待ち時間が消費されたか否かを確認し、待ち時間が消費された場合に（ステップＳ１７３；ＹＥＳ）、次のステップＳ１７４に進む。これにより、次のゲームを開始できるまで４．１秒かかるようになっている。
【０１３９】
次に、０となっているウェイトタイマを再度４．１秒に設定し（ステップＳ１７４）、ステップＳ１７５の回転起動処理に進む。
【０１４０】
次に、主制御基板４００は、回転起動処理を行う（ステップＳ１７５）。この回転起動処理では、図１４のステップＳ１６３でセットされた演出当選フラグを確認し、これに応じたリールの起動設定および時間設定を行う。例えば、前述の「左遅れ（変動演出）」の場合、遅れ時間として３００ｍｓを設定し、中、右、左リールの順に起動設定する。また、「逆回転演出」の場合は、所定の逆回転時間が経過した後、正回転起動設定を行う。
【０１４１】
最後に、リール回転始動時に必要となるデータを設定する（ステップＳ１７６）。ここでは、リールの回転状態を示す回転状態フラグを全回胴回転中にセットし、演出制御コマンドとして始動レバー１１が操作された旨を示す回転開始コマンドをセットする。以上の処理を行った後、回胴回転開始設定処理を終了する。
【０１４２】
図１２の説明に戻り、ステップＳ１７の回胴回転開始設定処理を終えると、次に、回胴停止処理（ステップＳ１８）を行う。以下、回胴停止処理について詳細に説明する。
【０１４３】
（４−５．回胴停止処理：図１６）
図１６は、図１２中の回胴停止処理（ステップＳ１８）を示すフローチャートである。まず主制御基板４００は、回胴回転停止ボタン１２ａ〜１２ｃの有効な停止操作（第１停止操作）があったか否かを判定する（ステップＳ１８１）。ここでは、始動レバー１１が操作されて各リールが回転を開始した後、すべてのリールが概ね一定の回転速度になったとき、各リールに対応する回胴回転停止ボタン１２ａ〜１２ｃの操作が受付可能な状態となる。このため回胴回転停止ボタン１２ａ〜１２ｃの操作は、上記の受付可能な状態となった場合にのみ有効となり、受付可能な状態にない場合には、仮に遊技者により回胴回転停止ボタン１２が操作されても無効な操作として扱われる。
【０１４４】
有効な停止操作があった場合（ステップＳ１８１；ＹＥＳ）、続いて停止準備データをセットする（ステップＳ１８２）。この停止準備データは、押し順を示す停止順番データ、現在停止しているリール数を示す図柄停止数データ、停止操作の対象となるリールを示す停止対象リール番号、停止間隔タイマ（引き込み制御下でリールが完全に停止するのに要する余裕時間を含めた時間（例えば、２１１ｍｓ））等がセットされる。
【０１４５】
次に、図柄停止制御処理を行う（ステップＳ１８３）。図柄停止制御処理は、滑りコマ数を計算してリールの図柄停止制御を行う処理である。
【０１４６】
次に、演出制御コマンドとして停止結果情報コマンドをセットする（ステップＳ１８４）。なお、停止結果情報コマンドには、図柄停止情報が含まれている。
【０１４７】
次に、停止間隔タイマを監視し、停止間隔タイマが０でない場合、当該タイマが０になるまで待つ（ステップＳ１８５；ＮＯ）。停止間隔タイマが０になると（ステップＳ１８５；ＹＥＳ）、ステップＳ１８６に進む。
【０１４８】
最後に、全リールが停止したか否かを判定する（ステップＳ１８６）。第１停止操作では、その判定は「ＮＯ」となり、再度ステップＳ１８１に戻る。第２停止操作、第３停止操作の際も、上記のステップＳ１８１〜Ｓ１８６を繰り返す。そして、第３停止操作のステップＳ１８６の判定ではステップＳ１８１に戻らず（ステップＳ１８６；ＹＥＳ）、回胴停止処理を終了する。
【０１４９】
図１２の説明に戻り、ステップＳ１８の回胴停止処理を終えると、次に、入賞判定処理（ステップＳ１９）を行う。以下、入賞判定処理について詳細に説明する。
【０１５０】
（４−６．入賞判定処理：図１７）
図１７は、図１２中の入賞判定処理（ステップＳ１９）を示すフローチャートである。まず主制御基板４００は、入賞ラインデータに基づき、当り図柄フラグを作成し、これらをメインＲＡＭ４０１ｂの所定の領域に格納する（ステップＳ１９１）。
【０１５１】
次に、入賞払出判定テーブル（図６）を参照し、当り図柄フラグに基づき、遊技メダルの払出枚数を算出する（ステップＳ１９２）。
【０１５２】
次に、全ての有効入賞ラインについて払出枚数の算出が終了したか判定し（ステップＳ１９３）、終了していなければ（ステップＳ１９３；ＮＯ）、ステップＳ１９２の処理に戻り、終了していれば（ステップＳ１９３；ＹＥＳ）、ステップＳ１９４に進む。
【０１５３】
ステップＳ１９４では、ステップＳ１９２で算出した払出枚数を設定し、次いでステップＳ１９５に進む。ステップＳ１９５の誤入賞判定処理の詳細については後述するが、この処理を行った後、入賞判定処理を終了する。
【０１５４】
（４−７．誤入賞判定処理：図１８）
図１８において、主制御基板４００は、まず当選フラグ（当選役データ、図８参照）をビット反転し（ステップＳ３０１）、次に、当選フラグの反転値と当り図柄フラグ（停止役データ、図１０参照）の論理積を演算する（ステップＳ３０２）。
【０１５５】
次に、ステップＳ３０２の演算結果が０であるか、すなわち誤入賞であるか否かを判定する（ステップＳ３０３）。ステップＳ３０３の演算結果が０（「００００００００Ｂ」）であれば誤入賞でないと判定して（ステップＳ３０３；ＹＥＳ）、ステップＳ３０４の処理に進む。しかし、これ以外のビットパターンであれば誤入賞であると判定して（ステップＳ３０３；ＮＯ）、ステップＳ３０８以降の処理を行う。
【０１５６】
ステップＳ３０４では、重複当選した場合を考慮して、当選フラグの数に相当する分の誤入賞判定のループが終了したか否かを判定する。フラグ数分のループが終了していない場合（ステップＳ３０４；ＮＯ）、ステップＳ３０１に戻るが、フラグ数分のループが終了した場合（ステップＳ３０４；ＹＥＳ）、ステップＳ３０５の処理に進む。
【０１５７】
次に、当り図柄フラグに応じ、演出制御コマンドである入賞コマンドをセットする（ステップＳ３０５）。
【０１５８】
さらに、遊技状態がボーナス遊技中であるか否かを判定する（ステップＳ３０６）。現在、ボーナス遊技中であれば（ステップＳ３０６；ＹＥＳ）、ボーナス中獲得枚数情報コマンドをセットし（ステップＳ３０７）、誤入賞判定処理を終了する。また、ボーナス遊技中でなければ（ステップＳ３０６；ＮＯ）、何もせずに誤入賞判定処理を終了する。
【０１５９】
ステップＳ３０３で誤入賞と判断された場合（ステップＳ３０３；ＮＯ）、当り図柄フラグ（４バイト分のすべての停止役データ）と払出枚数をクリアし（ステップＳ３０８）、エラー表示の設定を行う（ステップＳ３０９）。すなわち、図１７のステップＳ１９４の処理で設定された遊技メダルの払出枚数を無効とし、演出制御部４１０（演出制御基板４２０）にエラー表示の実行指示情報を含むエラー表示コマンドを送信する。
【０１６０】
次に、所定のエラー処理を行う（ステップＳ３１０）。このエラー処理では、演出制御部４１０が上記エラー表示コマンドを受信した場合、液晶表示装置６、装飾ランプ部１５、スピーカ１６等の演出手段を介して、エラーが生じた旨が外部に報知される。そして、エラー状態から復帰した後、ステップＳ３０５の処理に進む。
【０１６１】
上記ステップＳ３０１〜Ｓ３０３の処理について、具体例を挙げて説明する。
【０１６２】
［誤入賞でない場合］
例えば、当選フラグ（ボーナス図柄）が「１０００００００Ｂ」であり、当り図柄フラグがボーナス図柄の組合せを示す「１０００００００Ｂ」であったとする。このとき、当選フラグの反転値は「０１１１１１１１Ｂ」となる（ステップＳ３０１）。
【０１６３】
次に、当選フラグの反転値「０１１１１１１１Ｂ」と、当り図柄フラグ「１０００００００Ｂ」との論理積を演算すると、「００００００００Ｂ」となる（ステップＳ３０２）。この場合の論理積の演算結果は０であるので、内部抽選によりボーナス役に当選したとき、実際にボーナス図柄が停止した状態である。したがって、誤入賞でないと判定される（ステップＳ３０３；ＹＥＳ）。
【０１６４】
［誤入賞である場合］
例えば、当選フラグが「０００００００１Ｂ」であり、当り図柄フラグがボーナス図柄を示す「１０００００００Ｂ」であったとする。このとき、当選フラグの反転値は「１１１１１１１０Ｂ」となる（ステップＳ３０１）。
【０１６５】
次に、当選フラグの反転値「１１１１１１１０Ｂ」と、当り図柄フラグ「１０００００００Ｂ」との論理積は、「１０００００００Ｂ」となる（ステップＳ３０２）。
【０１６６】
この場合の論理積の演算結果は０ではないので、ボーナス役に当選していないにも関わらず、ボーナス図柄が停止した状態といえる。したがって、誤入賞であると判定される（ステップＳ３０３；ＮＯ）。
【０１６７】
図１２の説明に戻り、ステップＳ１９の入賞判定処理を終えると、次に、メダル払出枚数監視処理（ステップＳ２０）を行う。主制御基板４００は、上記入賞判定処理で設定される払出枚数（ステップＳ１９４）に基づき、クレジットの加算、またはホッパーユニット５００を駆動制御してメダルを払い出す。さらに、各制御動作にエラーがないか否かを監視する。
【０１６８】
ステップＳ２０のメダル払出枚数監視処理を終えると、次に、ＲＴ遊技数設定処理（ステップＳ２１）を行う。主制御基板４００は、入賞役がＲＴ作動図柄（図１０参照）であった場合、ＲＴ遊技の上限数を設定する。
【０１６９】
ステップＳ２１のＲＴ遊技数設定処理を終えると、次に、主制御基板４００は、リプレイ図柄が停止したか、すなわち、入賞役が再遊技役であるか否かを判定する（ステップＳ２２）。入賞役が再遊技役である場合（ステップＳ２２；ＹＥＳ）、再遊技開始設定処理（ステップＳ２５）に進み、再遊技の作動開始を設定する。そして、その終了後に、ＲＡＭ初期化処理（ステップＳ１１）にリターンする。
【０１７０】
一方、リプレイ図柄で停止していなかった場合（ステップＳ２２；ＮＯ）、主制御基板４００は、現在の遊技状態がボーナス遊技中であるか否かを判定する（ステップＳ２３）。遊技状態フラグ（ステップＳ１２）が「ボーナス遊技中」に設定されている場合（ステップＳ２３；ＹＥＳ）、主制御基板４００は、ボーナス遊技を継続するため、ボーナス作動中処理（ステップＳ２６）に進む。そして、その終了後に、ＲＡＭ初期化処理（ステップＳ１１）にリターンする。
【０１７１】
次に、ボーナス遊技中でない場合（ステップＳ２３；ＮＯ）、主制御基板４００は、ボーナス図柄で停止したか、すなわち、入賞役がボーナス役であるか否かを判定する（ステップＳ２４）。入賞役がボーナス役であった場合（ステップＳ２４；ＹＥＳ）、ボーナス遊技の作動を開始するボーナス作動開始処理（ステップＳ２７）に進む。そして、その終了後に、ＲＡＭ初期化処理（ステップＳ１１）にリターンする。
【０１７２】
一方、ボーナス図柄で停止していなかった場合（ステップＳ２４；ＮＯ）、そのまま、ＲＡＭ初期化処理（ステップＳ１１）にリターンする。以上のように、主制御基板４００のメイン処理では、図１２の各処理が順に行われる。
【０１７３】
（４−８．主制御基板でのタイマ割込み処理：図１９）
図１９は、本実施形態の主制御基板でのタイマ割込み処理を示すフローチャートである。以下では、１．５ｍｓ毎に実行される前記タイマ割込み処理について説明する。
【０１７４】
まず、主制御基板４００は、タイマ割込みが発生した場合、レジスタを所定のスタック領域に退避させる退避処理を行う（ステップＳ４１）。次に、ポート入力処理を行う（ステップＳ４２）。ポート入力処理では、遊技機に設けられたスイッチ類やセンサ類の検出情報を取得する。
【０１７５】
次に、回胴回転制御処理を行う（ステップＳ４３）。回胴回転制御処理では、リール状態フラグを確認した際のリール始動時や停止指令フラグを確認した際のリール停止時において、回胴駆動モータに出力するパルス信号を管理制御したり、リールの回転位置やその速度を監視したりする。
【０１７６】
次に、定期更新処理を行う（ステップＳ４４）。定期更新処理では、遊技動作に用いられるタイマを更新したり、ウォッチドッグタイマを定期的にクリアしたりする。定期更新処理が実行されない場合（例えば、異常が発生してプログラムが暴走状態となった場合）、ウォッチドッグタイマがタイムアップしたとき、メインＣＰＵ４０１ｃが自動的にリセットされて上記暴走状態から復帰する。
【０１７７】
次に、コマンド出力処理を行う（ステップＳ４５）。これは、遊技の進行に応じてセットされる演出制御コマンドを演出制御基板４２０側に送信する処理である。主制御基板４００は、割込み毎に演出制御コマンドを１バイト分出力する。１つの演出制御コマンドは２バイト長であるので、連続する２回のタイマ割込みで１つの演出制御コマンドが送信される。
【０１７８】
次に、メダル情報出力処理を行う（ステップＳ４６）。メダル情報出力処理では、遊技メダル投入や遊技メダル払出しの際のメダル払出信号を出力する。上記各信号は、外部集中端子基板３１０を介してホールコンピュータＨＣに送信される。次に、表示出力処理を行う（ステップＳ４７）。表示出力処理では、遊技機に設けられたＬＥＤや７セグメント等の発光を制御する発光制御信号を出力する。
【０１７９】
次に、異常監視処理を行う（ステップＳ４８）。異常監視処理では、上記ポート入力処理の情報に基づいて遊技動作状態を監視し、遊技機の異常を監視する。そして、上記のステップＳ４１〜ステップＳ４８の処理を終えた後、レジスタの内容を復帰させ（ステップＳ４９）、タイマ割込み処理を終了する。
【０１８０】
以上、図面を参照して本実施形態について説明したが、その特徴を再度簡潔に述べる。リール演出（回胴の演出動作）を発生させるため、内部抽選処理の結果に基づき、当選役データおよび停止制御用データを設定する（図１３のステップＳ１５４）。次に、リール演出抽選処理に進み、停止制御用データに基づき、リール演出を抽選する（図１４のステップＳ１６３）。すなわち、当選役データと比較しデータ量の小さい停止制御用データを用いてフリーズ演出等のリール演出を発生させるため、遊技機の制御負担を軽減することが可能となる。
【０１８１】
また、ボーナス持越しフラグが成立しているゲームにおいては、フリーズ演出等のリール演出を発生させない（図１４のステップＳ１６２）。このことにより、遊技機の動作制御の負担軽減に加え、それぞれゲームに対応した演出態様が選択され、分かり易く、興趣の高い遊技を提供することができる。
【０１８２】
なお、本発明は上記の実施形態に限定されるものではなく、本発明の目的を逸脱しない範囲で各構成要素を変更することが可能である。例えば、本発明を、遊技球を遊技媒体とする回胴式遊技機（いわゆるパロット）や、リールが２個または４個以上の回胴式遊技機、液晶表示装置の代わりにドットマトリクス表示器等や可動物を用いた回胴式遊技機に適用することも可能である。
【符号の説明】
【０１８３】
１ 遊技機筐体、
２ 前扉、
３ 回胴視認部（第１の表示窓）、
３ａ 入賞ライン（有効入賞ライン）、
４ 液晶画面視認部（第２の表示窓）、
５ａ、５ｂ、５ｃ 回胴（リール）  （図柄変動表示手段）、
６ 液晶表示装置、
６ａ 液晶画面（表示画面）、
７ メダル投入口、
８ ＭＡＸＢＥＴボタン、
９ 貯留メダル投入ボタン、
１０ 貯留メダル精算ボタン、
１１ 回胴回転始動レバー  （始動手段）、
１２ａ、１２ｂ、１２ｃ 回胴回転停止ボタン、
１３ 装飾ランプ部、
１４ 操作パネル部、
１５ 返却ボタン、
１６ スピーカ、
１７ 装飾パネル部、
１８ メダル受け皿、
１９ 遊技メダル払出口、
２１０ 回胴装置、
３１０ 外部集中端子基板、
３３０ 回胴中継基板、
３４０ 演出Ｉ／Ｆ基板、
３４０ａ 入力バッファ回路、
３５０ 払出中継基板、
３６０ 停止スイッチ基板、
３７０ 遊技中継基板、
３８０ ＬＥＤ基板、
４００ 主制御基板、
４０１ 主制御基板側マイクロコンピュータ  （役抽選手段、抽選結果データ設定手段、停止制御手段、演出動作抽選手段、特定役フラグ保持手段）、
４０１ａ メインＲＯＭ、
４０１ｂ メインＲＡＭ、
４０１ｃ メインＣＰＵ、
４０１ｄ ＣＴＣ、
４０１ｅ 割り込みコントローラ回路、
４０２ Ｉ／Ｏポート回路、
４０３ カウンタ回路、
４０４ Ｉ／Ｆ回路（演出制御基板用）、
４０４ａ 出力バッファ回路、
４０５ Ｉ／Ｆ回路（遊技中継基板用）、
４０６ Ｉ／Ｆ回路（その他基板用）、
４０７ モータ駆動回路  （停止制御手段）、
４０８ スイッチ入力回路、
４２０ 演出制御基板、
４２１ 演出制御基板側マイクロコンピュータ  （演出動作実行手段）、
４２１ａ サブＲＯＭ、
４２１ｂ サブＲＡＭ、
４２１ｃ サブＣＰＵ、
４２１ｄ ＣＴＣ、
４２１ｅ 割り込みコントローラ回路、
４２２ Ｉ／Ｏポート回路、
４２３ カウンタ回路、
４３０ 回胴設定基板、
４４０ 電源基板、
４５０ 払出制御基板、
４６０ 液晶制御基板、
５００ ホッパーユニット、
５１０ ホッパーモータ、
５２０ メダル払出センサ。
【図３】
0005492157.tif 000002
【図４】
0005492157.tif 000003
【図７Ａ】
0005492157.tif 000004
【図７Ｂ】
0005492157.tif 000005
【図８】
0005492157.tif 000006
【図９Ａ】
0005492157.tif 000007
【図９Ｂ】
0005492157.tif 000008
【図１０】
0005492157.tif 000009
【図１１】
0005492157.tif 000010
【図１２】
0005492157.tif 000011
【図１３】
0005492157.tif 000012
【図１４】
0005492157.tif 000013
【図１５】
0005492157.tif 000014
【図１６】
0005492157.tif 000015
【図１７】
0005492157.tif 000016
【図１９】
0005492157.tif 000017
【図１】
0005492157.tif 000018
【図２】
0005492157.tif 000019
【図５】
0005492157.tif 000020
【図６】
0005492157.tif 000021
【図１８】
0005492157.tif 000022